(57)【要約】    【課題】  本発明は、バルブ１やダンパなどの取付部１ａのボルト穴１ｂの位置が変わっても、取り付け可能な固着具１１、１２を有するアクチュエータを提供すること、及び、アクチュエータの取付部のボルト穴の位置が変わっても、取り付け可能な固着具１１、１２を有するダンパ等を提供することにある。    【解決手段】  取付部４に設けた溝４ａ、８と、溝４ａ、８に沿ってスライド可能に挿入したコマ７、９などを有する、固着具１１、１２を具備することを特徴とするアクチュエータ２やダンパ等とする。  また、固着具１１が押さえ面４ｂを有する凸溝４ａと止め面７ｂを有するコマ７の組合せ、又は、固着具１２が斜面８ａを有するアリ溝８と傾斜面９ｂを有するコマ９の組合せの、いずれかの組合せであることを特徴とするアクチュエータ２やダンパ等とする。【選択図】              図１
2005069307.tif 000002
【特許請求の範囲】
【請求項１】
ダンパやバルブなど（以下「ダンパ等」という。）の開閉駆動に使用するアクチュエータであって、その取付部に固着具を設け、前記固着具が溝と前記溝に沿ってスライド可能に挿入したコマとを有する固着具であることを特徴とするアクチュエータ。
【請求項２】
請求項１に記載したアクチュエータであって、固着具が押さえ面を有する凸溝と止め面を有するコマの組合せ、又は、固着具が斜面を有するアリ溝と傾斜面を有するコマの組合せ、のいずれかの組合せであることを特徴とするアクチュエータ。
【請求項３】
請求項１又は請求項２のいずれかに記載したアクチュエータであって、固着具のコマがネジ穴部を設けたコマ又はボルト部を設けたコマのいずれかであることを特徴とするアクチュエータ。
【請求項４】
ダンパ等であって、そのアクチュエータの取付部に固着具を設け、前記固着具が溝と前記溝に沿ってスライド可能に挿入したコマとを有する固着具であることを特徴とするダンパ等。
【請求項５】
請求項４に記載したダンパ等であって、固着具が押さえ面を有する凸溝と止め面を有するコマの組合せ、又は、斜面を有するアリ溝と傾斜面を有するコマの組合せ、のいずれかの組合せであることを特徴とするダンパ等。
【請求項６】
請求項４又は請求項５のいずれかに記載したダンパ等であって、固着具のコマがネジ穴部を設けたコマ又はボルト部を設けたコマのいずれかであることを特徴とするダンパ等。
【請求項７】
ダンパ等であって、請求項１乃至請求項３のいずれかに記載したアクチュエータを有することを特徴とするダンパ等。
【発明の詳細な説明】
【技術分野】
【０００１】
本発明は、風量を調節したり、風の流を導通したり遮断するためのダンパ、及び、流体の流量を調節したり流体の流を導通したり遮断するためのバルブ、ダンパ等を開閉駆動するアクチュエータ及びダンパ等とアクチュエータの固着具に関するものである。
【背景技術】
【０００２】
通常、アクチュエータはモータと減速部と出力部とを有し、モータの回転速度を減速部により減速して、その出力部を所定角度だけ往復回転させる。アクチュエータの中には前記出力軸の回転位置を検出したり、ダンパ等の開端や閉端に相当する出力部の角度位置を検出するセンサを有するものもある。
ダンパの開閉部の軸が突き出た中実軸の場合はアクチュエータの出力部を中空とし、ダンパの開閉部の軸が穴を有する中空軸の場合はアクチュエータの出力部を中実とするので、アクチュエータの出力部には中空のタイプと中実のタイプの両方ある。
【０００３】
ダンパ等にアクチュエータを取り付けるときは、ダンパ等の取付部にアクチュエータの取付部を合わせて、ボルトを使用して両者を固定する場合が多いが、各メーカがそれぞれ自由に取付部の形状を決めているため、さらには、取付部の形状が回りの状況に制限されるなどの理由があって、少しずつボルト穴の位置がずれることが多い。
このため従来では、ダンパ等の形状に合わせた専用のアクチュエータが必用となり、多種類のアクチュエータを用意するために、多種類の部品を設計し、製作し、在庫として保管しなければならず、多大な設計工数、製作工数、在庫保管工数などを発生させていた。
【発明の開示】
【発明が解決しようとする課題】
【０００４】
本発明は上記した従来技術の欠点を除くためなされたものであって、ダンパ等の取付部のボルト穴の位置が変わっても、取り付け可能な固着具を具備するアクチュエータを提供すること、及び、アクチュエータの取付部のボルト穴の位置が変わっても、取り付け可能な固着具を具備するダンパ等を提供することにある。
【課題を解決するための手段】
【０００５】
アクチュエータのダンパ等に対する取付部、又は、ダンパ等のアクチュエータの取付部のいずれか一方に固着具を取り付ける。
そして前記固着具を、溝とコマとの組合せを有するものとし、前記コマを前記溝によりスライド可能に保持するようにした。
特に前記固着具を、押さえ面を有する凸溝と止め面を有するコマの組合せ、又は、斜面を有するアリ溝と傾斜面を有するコマの組合せのいずれかとする。
そして、前記固着具と相手側の取付部に設けたボルト穴や取り付け穴を使用して、ダンパ等に対してアクチュエータを固着する。
【発明の効果】
【０００６】
本発明により、アクチュエータを取り付ける相手側たる、ダンパ等の取付部のボルト穴や取り付け穴などの位置が変わっても、取り付け可能な固着具を具備するアクチュエータを提供することができた。
また本発明により、ダンパ等に取り付ける相手側たる、アクチュエータの取付部のボルト穴や取り付け穴などの位置が変わっても、取り付け可能な固着具を具備するダンパ等を提供することができた。
【発明を実施するための最良の形態】
【０００７】
請求項１の発明は、その取付部に固着具を設け、前記固着具が溝と前記溝に沿ってスライド可能に挿入したコマなどを有する、固着具であることを特徴とするアクチュエータとする。
固着具としては、ボルトとナットの組合せとしたものを主として考えているが、固定用の部材を相手側に差し込んだ後に抜け止めピンを差し込む方法、バネなどの弾性体を一旦歪ませて固定用の部材を相手側に挿入し前記弾性体の反発力で固定する方法などもあり、固着具をボルトとナットの組合せに限るものではない。
本発明は、前記のようなコマを前記溝でスライド可能に保持し、ダンパ等の取付部のボルト穴や取り付け穴などの位置が変わっても容易に固定可能な固着具を提供するものである。
請求項２の発明は、請求項１に記載したアクチュエータであって、固着具が押さえ面を有する凸溝と止め面を有するコマの組合せ、又は、固着具が斜面を有するアリ溝と傾斜面を有するコマの組合せの、いずれかの組合せであることを特徴とするアクチュエータとする。
前記みぞの押さえ面により前記コマの止め面を押さえ、あるいは、前記アリ溝の斜面で前記コマの傾斜面を押さえることにより、溝にコマを拘束した固着具を提供するものである。
請求項３の発明は、請求項１又は請求項２のいずれかに記載したアクチュエータであって、固着具のコマがネジ穴部を設けたコマ又はボルト部を設けたコマのいずれかであることを特徴とするアクチュエータとする。
本発明は、固着具のコマをナット機能を有するものとした場合と、固着具のコマをボルト機能を有するものとした場合の両方の固定具を提供するものである。
【０００８】
請求項４の発明は、ダンパ等であって、そのアクチュエータの取付部に、溝と前記溝に沿ってスライド可能に挿入したコマなどを有する、固着具を具備することを特徴とするダンパ等とする。
固着具としては、ボルトとナットの組合せとしたものを主として考えているが、固定用の部材を相手側に差し込んだ後に抜け止めピンを差し込む方法、バネなどの弾性体を一旦歪ませて固定用の部材を相手側に挿入し前記弾性体の反発力で固定する方法などもあり、固着具をボルトとナットの組合せに限るものではない。
本発明は、前記のようなコマを前記溝でスライド可能に保持し、ダンパ等の取付部のボルト穴や取り付け穴などの位置が変わっても容易に固定可能な固着具を提供するものである。
請求項５の発明は、請求項４に記載したダンパ等であって、固着具が押さえ面を有する凸溝と止め面を有するコマの組合せ、又は、固着具が斜面を有するアリ溝と傾斜面を有するコマの組合せの、いずれかの組合せであることを特徴とするダンパ等とする。
前記みぞの押さえ面により前記コマの止め面を押さえ、又は、前記アリ溝の斜面で前記コマの傾斜面を押さえることにより、溝にコマを拘束した固着具を提供するものである。
請求項６の発明は、請求項４又は請求項５のいずれかに記載したダンパ等であって、固着具のコマがネジ穴部を設けたコマ又はボルト部を設けたコマのいずれかであることを特徴とするダンパ等とする。
本発明は、固着具のコマをナット機能を有するものとした場合と、固着具のコマをボルト機能を有するものとした場合の両方の固着具を提供するものである。
請求項７の発明は、請求項１乃至請求項３のいずれかに記載したアクチュエータを有することを特徴とするダンパ等とする。
【実施例１】
【０００９】
本発明の第１実施例を図１、図２に示し説明する。第１実施例のバルブ１はアクチュエータ２を取り付けるための取付部１ａとボルト穴１ｂを有している。
アクチュエータ２はモータ部６と減速部５と出力部３と取付部４を有しており、バルブ１の開閉部の軸が穴を有する中空軸であるので、アクチュエータ２の出力部３は中実の軸を突き出した形状となっている。
取付部４には２本の凸溝４ａが、外側から出力部３の中心に向かってそれぞれ設けてあり、凸溝４ａは段差部を押さえ面４ｂとした凸型断面を有している。
コマ７は段差部を止め面７ｂとした凸型断面を有し、溝４ａに対し隙間少なく挿入可能な寸法とし、中央部にネジ穴を明けてネジ穴部７ａとした。
固着具１１は溝４ａにコマ７をはめ込み、バルブ１の取付部１ａのボルト穴１ｂを貫通させたボルト１０をコマ７のネジ穴部７ａにねじ込んでバルブ１に対してアクチュエータ２を取り付ける構成とした。
コマ７は凸溝４ａの中で外側から出力部３の中心にむかってスライド可能であるので、バルブ１の取付部１ａのボルト穴１ｂの位置が変わっても容易に取り付けることができる。なを、コマ７の止め面７ｂは凸溝４ａの押さえ面４ｂによって止められるため、凸溝４ａから抜け出ることはない。
【実施例２】
【００１０】
本発明の第２実施例を図３に示し説明する。第２実施例では第１実施例に対し固着具の構成のみを変えたものである。
本実施例では、溝を斜面８ａを有するアリ溝８とした。一方コマ９は、斜面８ａと同じ角度の傾斜面９ｂを有するものとし、アリ溝８に対し隙間少なく挿入可能な寸法とし、また、中央部にボルトを取り付けてボルト部９ａとした。
固着具１２はアリ溝８にコマ９をはめ込み、取付部１ａのボルト穴１ｂにボルト部９ａを貫通させ、図示しないナットを使用してバルブに対してアクチュエータを取り付ける構成とした。
コマ９はアリ溝８の中で外側から出力部の中心にむかってスライド可能であるので、バルブの取付部のボルト穴の位置が変わっても容易に取り付けることができる。なを、コマ９の傾斜面９ｂはアリ溝８の斜面８ａによって止められるため、アリ溝８から抜け出ることはない。
【産業上の利用可能性】
【００１１】
本発明に係るバルブは空圧や油圧などの高圧の流体を制御する弁として利用され、本発明は機械製造産業や機械を使用して製品を製造する製造産業全般において利用される。さらに化学プラントなどにおいて化学物質の流を制御する弁として利用され、本発明は化学プラント製造産業や石油化学産業においても利用される。
一方、本発明に係るダンパは暖房・冷房などの空調や、粉塵を発生する設備や機械の集塵などに利用され、本発明は空調設備産業、機械製造産業及び製造産業全般において利用される。
【図面の簡単な説明】
【００１２】
【図１】バルブからアクチュエータを分離させた状態の斜視図である。
【図２】凸溝からコマを分離させた状態の固着具の部分斜視図である。
【図３】アリ溝からコマを分離させた状態の固着具の部分斜視図である。
【符号の説明】
【００１３】
１  ：バルブ                １ａ：取付部                １ｂ：ボルト穴          ２  ：アクチュエータ        ４  ：取付部                ４ａ：凸溝
４ｂ：押さえ面              ７  ：コマ                  ７ａ：ネジ穴部
７ｂ：止め面                ８  ：アリ溝                ８ａ：斜面
９  ：コマ                  ９ａ：ボルト部              ９ｂ：傾斜面
１０  ：ボルト              １１  ：固着具              １２  ：固着具
【図１】
2005069307.tif 000003
【図２】
2005069307.tif 000004
【図３】
2005069307.tif 000005